(57)【特許請求の範囲】
【請求項１】
感光体を帯電するための第１帯電手段と、感光体上に画像情報に応じた光を照射して静電潜像を形成するための第１露光手段と、感光体上に形成された静電潜像をトナ−で現像するための反転現像方式の第１現像手段を含む第１画像形成手段；および、感光体を帯電するための第２帯電手段と、感光体上に画像情報に応じた光を照射して静電潜像を形成するための第２露光手段と、感光体上に形成された静電潜像を現像するための第２現像手段を含み、感光体の移動方向に関して第１画像形成手段の下流側にある第２画像形成手段；を少くとも備える複数画像形成装置において、
第１画像形成手段で作像するが第２画像形成手段では作像しない作像モ−ドのとき、第２帯電手段の汚れを防止するために第１画像形成手段が感光体上に形成するトナ−と同極性の、放電開始電圧以下の電圧を第２帯電手段に印加し、第２画像形成手段を用いて画像を形成する作像モ−ドのときは、潜電潜像を形成するための電圧を第２帯電手段に印加する付勢制御手段、を備えることを特徴とする複数画像形成装置。
【請求項２】
第２帯電手段は放電ワイヤを備える帯電器であり、前記付勢制御手段は、第１画像形成手段で作像するが第２画像形成手段では作像しない作像モ−ドのとき、第２帯電手段の放電ワイヤのトナ−汚れを防止するために第１画像形成手段が感光体上に形成するトナ−と同極性の、コロナ放電開始電圧以下の電圧を第２帯電手段の放電ワイヤに印加し、第２画像形成手段を用いて画像を形成する作像モ−ドのときは、潜電潜像を形成するための電圧を第２帯電手段の放電ワイヤに印加する、請求項１に記載の複数画像形成装置。
【請求項３】
第２帯電手段は放電ワイヤ，グリッドおよびシ−ルドを備える帯電器であり、付勢制御手段は、第１画像形成手段のみにより画像を形成する作像モ−ドのとき、第１画像形成手段が感光体上に形成するトナ−と同極性の、絶対値が、放電ワイヤ印加電圧＞グリッド印加電圧≧シ−ルド印加電圧、なる関係の電圧を、放電ワイヤ，グリッドおよびシ−ルドに印加する、請求項２に記載の複数画像形成装置。
【請求項４】
第２画像形成手段による静電潜像形成用の電圧を発生する主電源回路，第２帯電手段の放電ワイヤのトナ−汚れを防止するための、第１画像形成手段が感光体上に形成するトナ−と同極性の、コロナ放電開始電圧以下の電圧を発生する補助電源回路、および、前記主電源回路および補助電源回路が発生する電圧の一方を選択的に第２帯電手段の放電ワイヤに印加する切換リレーを備え、前記付勢制御手段は前記切換リレーを用いて、第１画像形成手段のみで画像を形成する作像モ−ドのとき前記コロナ放電開始電圧以下の電圧を第２帯電手段の放電ワイヤに印加し、第２画像形成手段を用いて画像を形成する作像モ−ドのときは前記、潜電潜像を形成するための電圧を第２帯電手段の放電ワイヤに印加する、請求項２又は請求項３に記載の複数画像形成装置。
【発明の詳細な説明】
【０００１】
【発明の属する技術分野】
本発明は、感光体を帯電する帯電手段と、感光体上に画像情報に応じた光を照射して静電潜像を形成するための露光手段と、感光体上に形成された静電潜像をトナ−で現像するための現像手段を含む画像形成手段を２以上備え、それぞれの画像形成手段で同一感光体上に複数の画像、例えば異なる色の２以上の画像、を形成する複数画像形成装置に関する。
【０００２】
【従来の技術】
例えば２色画像画像形成装置では、１つの画像形成手段にて黒画像を形成し、もう１つの画像形成手段にて赤，青など、黒色とは異なる色画像を形成する。３色画像形成装置では例えばイエロ−画像，マゼンタ画像およびシアン画像を形成する。４色画像形成装置では例えばブラック画像，イエロ−画像，マゼンタ画像およびシアン画像を形成する。
【０００３】
同一の感光体上に選択的に又は順次に画像を形成する場合、感光体の移動方向に関して下流側にある帯電器が上流側で先行して形成される画像のトナ−で汚れる。この汚れにより下流側の帯電器が放電ムラを生じて下流側で形成する画像に黒筋が現われる。
【０００４】
特開平８−１４６７１９号公報に開示の多色画像形成装置は、感光体移動の上流側に第１帯電器を、下流側に第２帯電器を備える２色画像形成装置において、上流側で第１色の画像（第１画像）を形成し下流側で第２色の画像（第２画像）を形成する２色画像形成時に、第１画像のトナーが第２帯電器のグリッドやシールド部に付着するのを防止するため、第２帯電器のグリッド，シールドに感光体上のトナー層電位と同等以上の電圧を印加する。すなわち、第２色の画像を形成するときに、感光体上のトナー層電位よりも同等以上の電圧を第２帯電器のグリッド，シールドに印加する。
【０００５】
特開平９−１１４１８７号公報に開示の画像形成装置は、上流側で第１画像を形成し下流側では第２画像を形成しない第１画像形成時に、第２帯電器を感光体から退避させる方向に移動させ、第２帯電器へのトナー付着を防止する機構を備えている。
【０００６】
【発明が解決しようとする課題】
前記特開平８−１４６７１９号公報の多色画像形成装置は、第１画像と第２画像を並行して形成するときの、第１画像のトナ−による第２帯電器の汚れは防止されるが、第１画像を形成し第２画像を形成しないときに、第２帯電器が第１画像のトナ−で汚れる。感光体上のトナー像は、反転現像により現像されているため、感光体との静電気力が弱く、感光体近傍にアース部材が有ればアース部材に向かって逆飛翔してしまう。これによって、第１画像を形成し第２画像を形成しないときに第２帯電器が汚れる。また、上流側現像器から飛散、又は落下してくるトナーによる、下流側第２帯電器の汚れは防止できず、結果的には、下流側帯電器のワイヤー汚れ，グリッド汚れが発生し、放電ムラとなってしまう。
【０００７】
前記特開平９−１１４１８７号によれば、単色画像形成時に使用していない下流側第２帯電器を感光体から退避させる方向に移動させるので、たしかにアース部材と感光体との距離が広ければトナーの逆飛翔現象は防止可能となる。しかし、帯電器を移動させるための機構が必要となり、コストアップとなり又、装置自体も大型化してしまう欠点を有している。
【０００８】
本発明は、上流側で第１画像を形成し下流側では第２画像を形成しない時においても、下流側第２帯電器のトナ−汚れを防止することを目的とする。
【０００９】
【課題を解決するための手段】
（１）本発明は、感光体(1)を帯電するための第１帯電手段(2)と、感光体上に画像情報に応じた光を照射して静電潜像を形成するための第１露光手段(3)と、感光体上に形成された静電潜像をトナ−で現像するための反転現像方式の第１現像手段(4)を含む第１画像形成手段(2〜4)；および、感光体(1)を帯電するための第２帯電手段(5)と、感光体上に画像情報に応じた光を照射して静電潜像を形成するための第２露光手段(6)と、感光体上に形成された静電潜像を現像するための第２現像手段(7)を含み、感光体(1)の移動方向に関して第１画像形成手段(2〜4)の下流側にある第２画像形成手段(5〜7)；を少くとも備える複数画像形成装置において、
第１画像形成手段(2〜4)で作像するが第２画像形成手段(5〜7)では作像しない作像モ−ドのとき、第２帯電手段(5)の汚れを防止するために第１画像形成手段が感光体上に形成するトナ−と同極性の、放電開始電圧以下の電圧を第２帯電手段(5)に印加し、第２画像形成手段(5〜7)を用いて画像を形成する作像モ−ドのときは、潜電潜像を形成するための電圧を第２帯電手段(5)に印加する付勢制御手段(16,17,Hw2a,Hw2b)、を備えることを特徴とする。
【００１０】
なお、理解を容易にするためにカッコ内には、図面に示し後述する実施例の対応要素の符号又は対応事項を、参考までに付記した。
【００１１】
これによれば、第１画像形成手段(2〜4)のみで画像を形成する作像モ−ド（単色黒記録モ−ド）のときに、第２帯電手段(5)にトナ−と同極性の電圧(-1〜-2KV)を印加するので、感光体から第２帯電手段(5)への逆飛翔トナーが押さえられ、第２帯電手段(5)のトナ−汚れによる画像上の黒筋発生が防止される。複雑な構成を必要とせず、低コストにて汚れ防止が行なわれる。又、第２帯電手段(5)に印加する電圧を、放電開始電圧以下に押さえるので、オゾンの発生量は少い。
【００１２】
【発明の実施の形態】
（２）第２帯電手段(5)は放電ワイヤを備える帯電器であり、前記付勢制御手段(16,17,Hw2a,Hw2b)は、第１画像形成手段（2〜4）で作像するが第２画像形成手段(5〜7)では作像しない作像モ−ドのとき、第２帯電手段(5)の放電ワイヤのトナ−汚れを防止するために第１画像形成手段（2〜4）が感光体上に形成するトナ−と同極性の、コロナ放電開始電圧以下の電圧を第２帯電手段(5)の放電ワイヤに印加し、第２画像形成手段(5〜7)を用いて画像を形成する作像モ−ドのときは、潜電潜像を形成するための電圧を第２帯電手段(5)の放電ワイヤに印加する。
【００１３】
第１画像形成手段(2〜4)のみで画像を形成する作像モ−ド（単色黒記録モ−ド）のときに、第２帯電手段(5)の放電ワイヤにトナ−と同極性の電圧(-1〜-2KV)を印加するので、感光体から第２帯電手段(5)の放電ワイヤへの逆飛翔トナーが押さえられ、放電ワイヤのトナ−汚れによる画像上の黒筋発生が防止される。複雑な構成を必要とせず、低コストにて汚れ防止が行なわれる。又、第２帯電手段(5)の放電ワイヤに印加する電圧を、コロナ放電開始電圧以下に押さえるので、オゾンの発生量は少い。
【００１４】
（３）第２帯電手段は放電ワイヤ，グリッドおよびシ−ルドを備える帯電器であり、付勢制御手段は、第１画像形成手段のみにより画像を形成する作像モ−ドのとき、第１画像形成手段が感光体上に形成するトナ−と同極性の、絶対値が、放電ワイヤ印加電圧＞グリッド印加電圧≧シ−ルド印加電圧、なる関係の電圧を、放電ワイヤ，グリッドおよびシ−ルドに印加する。第２帯電手段の放電ワイヤ，グリッドおよびシ−ルドのトナ−汚れが防止されると共に、放電ワイヤに印加する電圧を最も高くする事により、画像にもっとも現れる放電ムラによる黒筋を防止する効果が高い。
【００１５】
（４）第２画像形成手段(5〜7)による静電潜像形成用の電圧を発生する主電源回路，第２帯電手段(5)の放電ワイヤのトナ−汚れを防止するための、第１画像形成手段(2〜4)が感光体上に形成するトナ−と同極性の、コロナ放電開始電圧以下の電圧を発生する補助電源回路、および、前記主電源回路および補助電源回路が発生する電圧の一方を選択的に第２帯電手段(5)の放電ワイヤに印加する切換リレーを備え、前記付勢制御手段は前記切換リレーを用いて、第１画像形成手段(2〜4)のみで画像を形成する作像モ−ドのとき前記コロナ放電開始電圧以下の電圧を第２帯電手段の放電ワイヤに印加し、第２画像形成手段(5〜7)を用いて画像を形成する作像モ−ドのときは前記、潜電潜像を形成するための電圧を第２帯電手段(5)の放電ワイヤに印加する、上記（２）又は（３）に記載の複数画像形成装置。
【００１６】
本発明の他の目的および特徴は、図面を参照した以下の実施例の説明より明らかになろう。
【００１７】
【実施例】
図１に本発明の一実施例の主要部を示す。感光体１は、図中の矢印方向に回転する。
（１）単色黒記録モ−ドの画像形成：
スコロトロン方式の第１帯電器２は感光体ドラムをマイナス帯電し、第１露光装置３が画像情報によって変調されたレ−ザビ−ムを帯電面に照射する。これにより画像を表わす静電潜像が感光体ドラム１の表面に形成される。２成分磁気ブラシ現像方式の第１現像器４が静電潜像にトナ−を与えて、感光体ドラム１上の静電潜像を反転現像により顕像化する。この実施例では、第１現像器４には黒色現像剤が収納されており、感光体ドラム１上の静電潜像は黒色トナ−により黒画像に顕像化する。
【００１８】
感光体ドラム１上の黒画像が、レジストロ−ラ８で送られる図示しない転写紙に、転写帯電器９で転写され、転写紙は分離帯電器１０で感光体ドラム１から分離されて搬送ベルト１１で図示しない定着器に送られる。
【００１９】
この単色記録モ−ドでは、スコロトロン方式の第２帯電器５には、感光体ドラムの黒画像が到達する直前から通過終了直後まで、黒画像のトナ−の第２帯電器５への逆飛翔を防止するために、第２帯電器５の放電ワイヤには、コロナ放電開始電圧以下の−１〜−２ＫＶの電圧が印加され、グリッドおよびシールド部には、−８９０Ｖ前後の電圧が印加される。グリッドとシールドに印加される電圧は、グリッド電圧の方がシールド電圧よりも高いか又は、同等の電圧である。
【００２０】
第２露光装置は露光しない状態になっており、この実施例では赤色現像剤を収納した第２現像器７は、非磁性非接触１成分現像方式の現像器であり、感光体ドラム１の表面より離れた位置に退避している。
【００２１】
（２）単色赤記録モ−ドの画像形成：
第１帯電器２が感光体ドラム１を均一にマイナス帯電させる。第１露光装置３は露光しない状態になっている。第１現像器４は第２現像器７に駆動を与えるため回転しているが、現像バイアスがＯＮされているため、感光体ドラム１を現像しない。
【００２２】
スコロトロン方式の第２帯電器５が更に感光体ドラム１をマイナス帯電する。このとき、第２帯電器５には、上述の単色黒記録モ−ドの画像形成のときとは異なる電圧が印加される。具体的には、放電ワイヤには−４．５〜−６ＫＶ、グリッドおよびシールド部には、−８９０Ｖの電圧が印加される。
【００２３】
第２露光装置６が画像情報によって変調されたレ−ザビ−ムを帯電面に照射する。これにより画像を表わす静電潜像が感光体ドラム１の表面に形成される。第２現像器７が図示していない移動手段により、感光体ドラム１表面に近い現像位置に駆動されて、現像を行う。この実施例では、第２現像器７には赤色トナ−が収納されており、感光体ドラム１上の静電潜像は赤色トナ−により赤画像に顕像化する。
【００２４】
感光体ドラム１上の赤画像が、レジストロ−ラ８で送られる図示しない転写紙に、転写帯電器９で転写され、転写紙は分離帯電器１０で感光体ドラム１から分離されて搬送ベルト１１で図示しない定着器に送られる。
【００２５】
（３）２色記録モ−ドの画像形成：
感光体ドラム１は第１帯電器２によりマイナスに帯電され、第１露光装置３により静電潜像が形成され、第１現像器４が静電潜像を黒色トナ−で顕像化し、これにより黒画像（第１画像）が感光体ドラム１上に形成される。つぎに、第２帯電器５が、黒画像の上から、感光体ドラム１をマイナスに帯電させる。このとき第２帯電器５に、上述の単色赤記録モ−ドの画像形成のときと同じ値の電圧が印加される。第２露光装置６が、黒画像形成部以外の部分を画像情報に基づいて露光して静電潜像を形成し、第２現像器７がこの静電潜像を赤色トナ−で顕像化し、赤画像（第２画像）を生成する。
【００２６】
感光体ドラム１上の黒画像（第１画像）および赤画像（第２画像）が、レジストロ−ラ８で送られる図示しない転写紙に、転写帯電器９で転写され、転写紙は分離帯電器１０で感光体ドラム１から分離されて搬送ベルト１１で図示しない定着器に送られる。
【００２７】
（４）第２帯電器５に印加する電圧の切換え：
第２帯電器５の放電ワイヤには、切換リレ−１７を介して、単色黒記録モ−ドのときには補助電源回路Ｈｗ２ｂが発生する電圧（−１〜−２ＫＶ）が、また単色赤記録モ−ドおよび２色記録モ−ドのときには主電源回路Ｈｗ２ａが発生する帯電電圧（−４．５〜−６ＫＶ）が印加される。切換リレ−１７は、その電気コイルに通電がないＯＦＦのときには主電源回路Ｈｗ２ａを第２帯電器５の放電ワイヤに接続しているが、電気コイルに通電があるＯＮのときには補助電源回路Ｈｗ２ｂを第２帯電器５の放電ワイヤに接続する。
【００２８】
上述の各モ−ドのときの、第１帯電器２および第２帯電器５に電圧を印加する電源回路の電圧発生（ＯＮ）／非発生（ＯＦＦ）の組合せを、次の表１に示す。
【００２９】
【表１】
0003594214.tif 000002
【００３０】
感光体ドラム１周りには上述の画像形成要素の他に、転写済の感光体面を掃除するクリ−ニング装置１２，感光体面を除転する除電ランプ１３，画像濃度を検出するための反射型光センサ１４，転写紙の非分離（ペ−パジャム）を検出するための紙センサ１５ならびに図示しないイレ−サなども設けられている。これらは公知のものであり、本発明の実施に直接には関係しないため、説明は省略する。
【００３１】
図示しないオペレ−タ操作ボ−ドおよびホストコンピュ−タからの指示入力に応答して上述の（１）〜（３）の画像形成を制御するプリントコントロ−ラ１６は、各種センサからの電気信号を処理し、各種電気的アクチュエ−タ（電気モ−タ，ソレノイド，クラッチ）に通電する入，出力電気回路およびマイクロコンピュ−タを含み、指示入力によって指定される作像モ−ド，用紙サイズ，プリント枚数，画像処理パラメ−タ等の作像条件に従って、感光体ドラム１の所定小回転量を１単位とする、ドラム回転同期パルスのカウント値対各電気要素のオン／オフのスケジュ−ル（タイミング）と、その繰返し回数を設定する。このタイミング設定の中の、帯電器に関するタイミング設定項目を図２に示す。
【００３２】
図２を参照すると、帯電器（チャ−ジャ）の設定においては、指示入力によって表わされる作像モ−ドおよび用紙サイズ（画像形成サイズ）に従って、第１画像形成用の帯電器２のオン／オフタイミングを定め（ＴＤ１）、第２画像形成用の帯電器５のオン／オフタイミングを定め（ＴＤ２）、転写帯電器９のオン／オフタイミングを定め、また、分離帯電器１０のオン／オフタイミングを定める。なお、帯電器が出力電圧可変型のものである場合には、オンタイミングに出力電圧指定デ−タが割り宛てられ、電源回路（Ｈｗ１，Ｈｇ１，Ｈｗ２ａ，Ｈｗ２ｂ，Ｈｇ２，Ｈｗ３，Ｈｗ４）にはオンタイミングに出力電圧指定デ−タが与えられ、電源回路は指定デ−タに対応する電圧を発生し出力する。
【００３３】
この実施例では、第１帯電器２の放電ワイヤ、および、グリッド，シ−ルド部に帯電電圧を与える帯電電源回路Ｈｗ１およびＨｇ１，第２帯電器５の放電ワイヤ、および、グリッド，シ−ルド部に帯電電圧を与える主電源回路Ｈｗ２ａおよびＨｇ２、ならびに、第２帯電器５の放電ワイヤ１に、コロナ放電開始電圧以下の電圧を与える補助電源回路Ｈｗ２ｂは、いずれも出力電圧を手動調整するための可変抵抗器を含むものであり、それぞれ所定範囲内で出力電圧を調整しうる。これらの電源回路に関して本実施例では、プリントコントロ−ラ１６はオン／オフタイミングのみを定め、出力電圧の指定又は調整は行なわない。
【００３４】
図３に、第２帯電器５のオン／オフタイミングの設定（ＴＤ２）の内容を示す。ここでプリントコントロ−ラ１６は、入力指定が表わす作像モ−ドに対応して、それが単色赤記録モ−ドあるいは２色記録モ−ドのときには、プリントスタ−トに応じた画像形成動作開始タイミングを起点とした、第２帯電器５のオンタイミングに、主電源回路Ｈｗ２ａをＯＮ（電圧発生），補助電源回路Ｈｗ２ｂをＯＦＦ（非発生）、および、切換リレ−１７をＯＦＦ（Ｈｗ２ａの電圧を放電ワイヤに供給）にするデ−タを宛て、そして、用紙サイズで定まる第２帯電器５のオフタイミングに、主電源回路Ｈｗ２ａをＯＦＦ（非発生），補助電源回路Ｈｗ２ｂをＯＦＦ（非発生）、および、切換リレ−１７をＯＦＦにするデ−タを宛てる（ステップＳ２１〜２４）。
【００３５】
入力指定が表わす作像モ−ドが単色黒記録モ−ドのときには、第２帯電器５の上述のオンタイミングに、主電源回路Ｈｗ２ａをＯＦＦ（非発生），補助電源回路Ｈｗ２ｂをＯＮ（電圧発生）、および、切換リレ−１７をＯＮ（Ｈｗ２ｂの電圧を放電ワイヤに供給）にするデ−タを宛て、そして、用紙サイズで定まる第２帯電器５のオフタイミングに、主電源回路Ｈｗ２ａをＯＦＦ（非発生），補助電源回路Ｈｗ２ｂをＯＦＦ（非発生）、および、切換リレ−１７をＯＦＦにするデ−タを宛てる（ステップＳ２５，Ｓ２６）。
【００３６】
各電気要素のオン／オフのタイミング（スケジュ−ル）と、その繰返し回数を設定し、画像形成動作を開始するとプリントコントロ−ラ１６は、設定したタイミングで各電気要素をオン／オフし、これを設定した回数分（プリント指定枚数分）繰返す。これによって、第１帯電器２および第２帯電器５は、指定作像モ−ドに対応して表１に示すようにＯＮ／ＯＦＦが制御される。
【００３７】
単色黒記録モ−ドでは、感光体ドラム１上に形成された黒画像のトナーは、ネガポジ現像の為、感光体ドラム１との付着力が弱く、近傍にあるアース部材に逆飛翔してしまう。従来であれば、第２帯電器５は、単色黒記録モ−ドではアース状態となっていた為、その放電ワイヤ，グリッドおよびシ−ルド部にトナーが付着し、放電ムラの原因となるが、本発明では、第２帯電器５に補助電源回路Ｈｗ２ｂが発生する電圧を印加する事により、逆飛翔するトナーが第２帯電器５へ付着するのが防止される。２色記録モ−ドおよび単色赤記録モ−ドのときは、第２帯電器５に画像形成用の高圧電圧が主電源回路２ａから印加され、しかも第２帯電器５のグリッド，シールド部にも電圧が印加されるので、第２帯電器５への逆飛翔現象は発生しない。
【００３８】
上述の本発明の実施例の場合と、従来の条件の場合において、単色黒記録モ−ドで実際にランニングテストを行い、第２帯電器５の放電ワイヤ汚れによる黒筋発生枚数を比較すると以下の様な値となり、本発明の効果が明らかに認められる。
【００３９】
ランニングは、Ａ４Ｙ６％チャートの連続コピーとした(各条件とも２台ラン)。
１．第２帯電器５がアース状態の場合：２０Ｋ，３０Ｋ枚にて黒筋発生  （Ｋは×1000を意味する），
２．第２帯電器５のグリッド，シールド部に電圧印加：５Ｋ，１０Ｋ枚にて黒筋    発生，
３．第２帯電器５の放電ワイヤ，グリッド，シールド部に電圧印加（本発明の実    施例）：１００Ｋ枚コピーにおいても、黒筋発生せず。
【００４０】
感光体ドラム１に形成された黒画像のトナーは、アース部材に向かって逆飛翔し、感光体ドラム１の周りに発生している気流に乗り、より遠くまで付着する。上記１．の場合は、第２帯電器５の放電ワイヤ，グリッド，シールド部がすべてアース状態となっている為、感光体ドラム１に最も近接したグリッド，シールド部から、トナー付着が始まり、グリッドのトナー補獲作用が少なくなると、より奥側にある帯電ワイヤーに付着し放電ムラとなる。上記２．の場合には、感光体ドラム１に最も近接しているグリッド，シールド部にトナーと同極性の電圧が印加されている為、グリッド，シールド部にはトナーが捕獲されず、アース状態である放電ワイヤに向かってトナーが逆飛翔する為、より早い枚数にて放電ムラが発生する。上記３．の場合には、第２帯電器５の放電ワイヤ，グリッド，シールド部のすべてにトナーと同極性の電圧が印加されており、かつ放電ワイヤの印加電圧がグリッド，シールド部に印加される電圧よりも高い為、より帯電ワイヤーにトナー付着しずらい条件である為、１００Ｋ枚コピーにおいても、黒筋の発生が防止できたものである。
【００４１】
なお、２色画像形成を例にして実施例を説明してきたが、３以上の画像形成手段を備える３色以上の多色画像形成装置に対しても本発明は有効である。また、各画像形成手段にて形成する画像色は任意であり、上述の実施例の黒および赤に限る必要はない。
【図面の簡単な説明】
【図１】本発明の一実施例の主要部を示すブロック図である。
【図２】図１に示すプリントコントロ−ラ１６の、帯電器付勢タイミング設定の項目を示すフロ−チャ−トである。
【図３】図２に示す「チャ−ジャ５のＯＮ／ＯＦＦタイミング設定」（ＴＤ３）の内容を示すフロ−チャ−トである。
【符号の説明】
１：感光体ドラム      ２：第１帯電器
３：第１露光装置      ４：第１現像器
５：第２帯電器        ６：第２露光装置
７：第２現像器        ８：レジストロ−ラ
９：転写帯電器      １０：分離帯電器
１１：搬送ベルト    １２：クリ−ニング装置
１３：除電ランプ    １４：反射型光センサ
１５：ペ−パセンサ  １６プリントコントロ−ラ
１７：切換リレ−    Ｈｗ１〜Ｈｗ４，Ｈｇ１，Ｈｇ２：電源回路
【図１】
0003594214.tif 000003
【図２】
0003594214.tif 000004
【図３】
0003594214.tif 000005